【手続補正書】
【提出日】平成30年1月16日(2018.1.16)
【手続補正１】
【補正対象書類名】特許請求の範囲
【補正対象項目名】全文
【補正方法】変更
【補正の内容】
【特許請求の範囲】
【請求項１】
物体側より像側へ順に配置された、正の屈折力の第１レンズ群、負の屈折力の第２レンズ群、正の屈折力の第３レンズ群、１つ以上のレンズ群を含む後群を有し、ズーミングに際して隣り合うレンズ群の間隔が変化するズームレンズにおいて、
最も像側に位置するレンズ群は２枚以上のレンズを有し、前記最も像側に位置するレンズ群に含まれるレンズの材料の部分分散比をθｇＦｒ、アッベ数をνｄｒとするとき、前記最も像側に位置するレンズ群に含まれるレンズのそれぞれの材料は、
０．０＜θｇＦｒ−（−１．５２０×１０−７・νｄｒ３＋５．２１３×１０−５・νｄｒ２−５．５００×１０−３・νｄｒ＋０．７３０）
なる条件式を満足し、
前記第１レンズ群の焦点距離をｆ１、広角端における全系の焦点距離をｆｗとするとき、
１２．０＜ｆ１／ｆｗ＜４０．０
なる条件式を満足することを特徴とするズームレンズ。
【請求項２】
望遠端における全系の焦点距離をｆｔとするとき、
１．５＜ｆｔ／ｆ１＜５．０
なる条件式を満足することを特徴とする請求項１に記載のズームレンズ。
【請求項３】
前記第２レンズ群の焦点距離をｆ２、望遠端における全系の焦点距離をｆｔとするとき、
−３０．０＜ｆｔ／ｆ２＜−５．０
なる条件式を満足することを特徴とする請求項１または２に記載のズームレンズ。
【請求項４】
前記第３レンズ群の焦点距離をｆ３、望遠端における全系の焦点距離をｆｔとするとき、
５．０＜ｆｔ／ｆ３＜２０．０
なる条件式を満足することを特徴とする請求項１乃至３のいずれか１項に記載のズームレンズ。
【請求項５】
前記最も像側に位置するレンズ群に含まれるレンズの材料のアッベ数をνｄｒとするとき、前記最も像側に位置するレンズ群に含まれるレンズのそれぞれの材料は、
１０．０＜νｄｒ＜１００．０
なる条件式を満足することを特徴とする請求項１乃至４のいずれか１項に記載のズームレンズ。
【請求項６】
前記最も像側に位置するレンズ群に含まれる正レンズの材料のアッベ数をνｄｒｐとするとき、
４０．０＜νｄｒｐ＜１００．０
なる条件式を満足することを特徴とする請求項１乃至５のいずれか１項に記載のズームレンズ。
【請求項７】
前記最も像側に位置するレンズ群に含まれる負レンズの材料のアッベ数をνｄｒｎとするとき、
１０．０＜νｄｒｎ＜４０．０
なる条件式を満足することを特徴とする請求項１乃至６のいずれか１項に記載のズームレンズ。
【請求項８】
広角端から望遠端へのズーミングにおける前記第１レンズ群の移動量をｍ１とし、移動量の符号は、広角端に比べて望遠端において前記第１レンズ群が物体側に位置するときを負、像側に位置するときを正とするとき、
−３０．０＜ｍ１／ｆｗ＜−３．０
なる条件式を満足することを特徴とする請求項１乃至７のいずれか１項に記載のズームレンズ。
【請求項９】
広角端から望遠端へのズーミングにおける前記第３レンズ群の移動量をｍ３とし、移動量の符号は、広角端に比べて望遠端において前記第３レンズ群が物体側に位置するときを負、像側に位置するときを正とするとき、
−１０．０＜ｍ３／ｆｗ＜−０．５
なる条件式を満足することを特徴とする請求項１乃至８のいずれか１項に記載のズームレンズ。
【請求項１０】
前記最も像側に位置するレンズ群の焦点距離をｆｒ、望遠端における全系の焦点距離をｆｔとするとき、
２．０＜ｆｔ／｜ｆｒ｜＜１５．０
なる条件式を満足することを特徴とする請求項１乃至８のいずれか１項に記載のズームレンズ。
【請求項１１】
前記最も像側に位置するレンズ群に含まれる負レンズの材料の屈折率をＮｄｒｎとするとき、
１．６＜Ｎｄｒｎ＜２．３
なる条件式を満足することを特徴とする請求項１乃至１０のいずれか１項に記載のズームレンズ。
【請求項１２】
前記最も像側に位置するレンズ群は、１枚の正レンズと、該１枚の正レンズに対して空気間隔を隔てて配置された１枚の負レンズからなることを特徴とする請求項１乃至１１のいずれか１項に記載のズームレンズ。
【請求項１３】
請求項１乃至１２のいずれか１項に記載のズームレンズと、該ズームレンズによって形成される像を受光する固体撮像素子を有することを特徴とする撮像装置。
【手続補正２】
【補正対象書類名】明細書
【補正対象項目名】００１４
【補正方法】変更
【補正の内容】
【００１４】
本発明のズームレンズは、物体側より像側へ順に配置された、正の屈折力の第１レンズ群、負の屈折力の第２レンズ群、正の屈折力の第３レンズ群、１つ以上のレンズ群を含む後群を有し、ズーミングに際して隣り合うレンズ群の間隔が変化するズームレンズにおいて、
最も像側に位置するレンズ群は２枚以上のレンズを有し、前記最も像側に位置するレンズ群に含まれるレンズの材料の部分分散比をθｇＦｒ、アッベ数をνｄｒとするとき、前記最も像側に位置するレンズ群に含まれるレンズのそれぞれの材料は、
０．０＜θｇＦｒ−（−１．５２０×１０−７・νｄｒ３＋５．２１３×１０−５・νｄｒ２−５．５００×１０−３・νｄｒ＋０．７３０）
なる条件式を満足し、
前記第１レンズ群の焦点距離をｆ１、広角端における全系の焦点距離をｆｗとするとき、
１２．０＜ｆ１／ｆｗ＜４０．０
なる条件式を満足することを特徴としている。
【手続補正３】
【補正対象書類名】明細書
【補正対象項目名】００１７
【補正方法】変更
【補正の内容】
【００１７】
以下に、本発明の好ましい実施の形態を、添付の図面に基づいて説明する。本発明のズームレンズは、物体側より像側へ順に配置された、正の屈折力の第１レンズ群、負の屈折力の第２レンズ群、正の屈折力の第３レンズ群、１つ以上のレンズ群を含む後群を有し、ズーミングに際して隣り合うレンズ群の間隔が変化する。
【手続補正４】
【補正対象書類名】明細書
【補正対象項目名】００３５
【補正方法】変更
【補正の内容】
【００３５】
各実施例に共通して、本発明の効果を得る上で特徴となる点について説明する。各実施例において、最も像側に位置するレンズ群は２枚以上のレンズを有する。最も像側に位置するレンズ群に含まれる各レンズの材料の部分分散比をθｇＦｒ、アッベ数をνｄｒとし、第１レンズ群Ｌ１の焦点距離をｆ１、広角端における全系の焦点距離をｆｗとする。このとき、
０．０＜θｇＦｒ−（−１．５２０×１０−７・νｄｒ３＋５．２１３×１０−５・νｄｒ２−５．５００×１０−３・νｄｒ＋０．７３０）    ・・・（１）
１２．０＜ｆ１／ｆｗ＜４０．０                  ・・・（２）
なる条件式を満足する。
【手続補正５】
【補正対象書類名】明細書
【補正対象項目名】００５３
【補正方法】変更
【補正の内容】
【００５３】
条件式（９）は広角端における全系の焦点距離とズーミングに際しての第１レンズ群Ｌ１の移動量を規定している。ここで広角端から望遠端へのズーミングに際してのレンズ群の移動量は広角端における光軸上の位置と望遠端における光軸上の位置の差分量で定義されるものである。移動量の符号は広角端に比べて望遠端においてレンズ群が物体側に位置するときを負、像側に位置するときを正とする。
【手続補正６】
【補正対象書類名】明細書
【補正対象項目名】００６５
【補正方法】変更
【補正の内容】
【００６５】
各実施例のズームレンズにおいては最も像側に位置するレンズ群には軸外光束が光軸から離れたところを通る。このため、レンズ枚数が増えると有効径が増大し、またレンズ群の厚みが増す。そのためレンズ枚数は２枚構成とするのが良い。また最も像側に位置するレンズ群は色収差の補正を良好に行うために空気間隔を隔てて配置された１枚の負レンズと１枚の正レンズによる構成とするのが良い。また、最も像側に位置するレンズ群は互いに独立したレンズより構成するのが良い。具体的には１枚の正レンズと、該１枚の正レンズに対して空気間隔を隔てて配置された１枚の負レンズから異常分散材料よりなるレンズに非球面を付加することで、接合レンズを使用しなくとも、球面収差、コマ収差、色収差の更なる補正が容易となる。